(57)【要約】【課題】操作者に明確な２アクションスイッチを提供し、不意に操作スイッチをＯＮ状態としてしまうことがないハンドブレンダの操作スイッチを提供する。【解決手段】回転刃を端部近傍に有する回転軸と、回転軸を駆動させる駆動部と、駆動部の電源を操作する操作スイッチ（操作部２２）と、を備え、操作スイッチは、第一の方向に移動可能と共に、第一の方向と異なる第二の方向に移動可能なスライドスイッチ２３を有し、スライドスイッチは、第一の方向への移動時にクリック感を伴って移動すると共に、第一の方向への移動完了時に第二の方向へ移動し、第二の方向への移動完了時に駆動部の電源をＯＮする。【選択図】図１
2016041153.tif 000002
【特許請求の範囲】
【請求項１】
回転刃を端部近傍に有する回転軸と、
前記回転軸を駆動させる駆動部と、
前記駆動部の電源を操作する操作スイッチと、を備え、
前記操作スイッチは、
第一の方向に移動可能と共に、第一の方向と異なる第二の方向に移動可能なスライドスイッチを有し、
前記スライドスイッチは、第一の方向への移動時にクリック感を伴って移動すると共に、第一の方向への移動完了時に第二の方向へ移動し、第二の方向への移動完了時に前記駆動部の電源をＯＮするハンドブレンダの操作スイッチ。
【請求項２】
スライドスイッチは凸コーナー部を有し、
前記スライドスイッチが第一の方向への移動時に前記凸コーナー部と当接する突起を有するメインスイッチを備え、
前記突起は前記メインスイッチの湾曲部の頂部に形成された請求項１記載のハンドブレンダの操作スイッチ。
【請求項３】
スライドスイッチの移動可能な第一の方向で、前記スライドスイッチの両側に、前記スライドスイッチより高さが高いガードリブを設けた請求項１記載のハンドブレンダの操作スイッチ。
【請求項４】
スライドスイッチに形成されたフックと係合可能な爪を有するロックレバーをさらに備え、スライドスイッチに形成されたフックとロックレバーの爪の係合状態によって、スライドスイッチを第一の方向への移動を規制する請求項１記載のハンドブレンダの操作スイッチ。
【発明の詳細な説明】
【技術分野】
【０００１】
本発明は、一般家庭で使用されるハンドブレンダに設けられる操作スイッチに関するものである。
【背景技術】
【０００２】
従来、ハンドブレンダは、回転軸の先端に設けられ回転軸の遠心方向に延在する一対の粉砕刃の回転により、食材を細かく粉砕し混合する器具である。
【０００３】
ハンドブレンダの構成や機能に関しては、これまでに様々な提案がなされている。その中に、操作スイッチが、単純に押すだけで電源をＯＮするものもあるが、スライドさせて押すという２アクションタイプのものがある（例えば、特許文献１参照）。
【０００４】
図１３は、特許文献１に記載された従来のハンドブレンダの要部断面図を含む側面図である。図１４は、特許文献１に記載された従来のハンドブレンダの要部断面図である。
【０００５】
以下、図１３および図１４を参照しながら、従来のハンドブレンダの操作スイッチについて説明する。
【０００６】
図１３に示すように、操作スイッチ２は、ハンドブレンダの本体１の上部に設けられる。混合器ユニット３はハンドブレンダの本体１の先端に設けられる。混合器ユニット３は、その中心に回転軸４を有し、回転軸４の先端に回転刃５を有する。
【０００７】
図１４に示すように、操作スイッチ２は本体壁面６に沿って上下に摺動し、付勢手段（図示せず）によって常に上方に付勢されている。操作スイッチ２は、スライドして下端の位置にくると水平方向に押すことができ、操作スイッチ２のボス７が本体の穴８を通過し、内部にある第１作動子９を押す。操作スイッチ２を押す力を緩めるとバネ１０の動きにより操作スイッチ２は前部の位置に戻され、さらに、付勢手段（図示せず）によって上方に戻される。
【０００８】
操作スイッチ２の操作により第１作動子９が水平方向に移動すると、連結棒１１を介して接続されている第２作動子１２が下方に移動する。第２作動子１２の下方には、球体１３、第３作動子１４があり、それらを介して、リミットスイッチ１５がＯＮする。リミットスイッチ１５がＯＮすると、本体１の内部に設けられたモータ電源、モータ制御部、モータ（いずれも図示せず）により、回転軸４が回転し、先端の回転刃５が回転する。第２作動子１２は、バネ１６によって上方に付勢されているので、操作スイッチ２に掛けている力を緩めれば、バネ１０の力により操作スイッチ２が前方に戻ることで、バネ１６に付勢されている第２作動子１２が上方に移動し、さらに、第２作動子１２に連結棒１１にて連結されている第１作動子９も前方の位置に戻る。球体１３は、第３作動子１４上面の湾曲部１７上にあるが、本体１が傾けられると斜面１８に沿って、球体１３は第３作動子１４の湾曲部１７から移動してしまう。球体１３が移動すると、第２作動子が下方に移動してきても、第３作動子１４を押すことができなくなる。
【０００９】
上記従来のハンドブレンダを用いて、例えば野菜スープを作るには、鍋の中の煮込まれた野菜に混合器ユニット３を押し込み、操作スイッチ２を下方にスライドして水平方向に押すと、第１作動子９が水平方向後方に移動する。さらに、連結棒１１にて連結された第２作動子１２が下方に移動する。第２作動子１２の下方への移動により、球体１３、第３作動子１４が下方に押され、リミットスイッチ１５を押す。これにより、回転刃５が例え
ば１万回転／分で高速回転することで、野菜が粉砕および混合されて、手軽に野菜スープができ上がる。
【００１０】
操作スイッチ２が上下のスライドおよび水平方向に押す２アクションとなっていることにより、回転刃５に食材がからまり除去する場合、指や棒を近づけたり、また、回転刃５の状態を確認するために目視したりすることがあるが、その際、不意にスイッチが入らないようにする為に、２アクションとしている。
【先行技術文献】
【特許文献】
【００１１】
【特許文献１】特開２００６−３２５９２０号公報
【発明の概要】
【発明が解決しようとする課題】
【００１２】
しかしながら、上記従来のハンドブレンダの操作スイッチでは、下方のスライド操作と水平方向の押す操作が連続して行われる為、操作者としては、斜めに押す操作と変わりなく、十分な２アクションとは言えず、不意に操作スイッチをＯＮ状態としてしまうことがあるという課題を有していた。
【００１３】
また、従来のハンドブレンダの操作スイッチの構成では、本体１を斜めの姿勢で使用しようとした場合、球体１３が第３作動子１４の湾曲部１７から外れてしまい、リミットスイッチ１５をＯＮ状態にすることができなくなり、非常に使い勝手が悪いという課題を有していた。
【００１４】
本発明は、前記従来の課題を解決するもので、操作者に明確な２アクションスイッチを提供し、不意に操作スイッチをＯＮ状態としてしまうことがないハンドブレンダの操作スイッチを提供することを目的とする。
【課題を解決するための手段】
【００１５】
上記従来の課題を解決するために、本発明のハンドブレンダの操作スイッチは、回転刃を端部近傍に有する回転軸と、前記回転軸を駆動させる駆動部と、前記駆動部の電源を操作する操作スイッチと、を備え、前記操作スイッチは、第一の方向に移動可能と共に、第一の方向と異なる第二の方向に移動可能なスライドスイッチを有し、前記スライドスイッチは、第一の方向への移動時にクリック感を伴って移動すると共に、第一の方向への移動完了時に第二の方向へ移動し、第二の方向への移動完了時に前記駆動部の電源をＯＮする構成としたものである。
【００１６】
これによって、第一の方向と第二の方向の２アクション操作スイッチのクリック感により、操作者が２アクションであることを実感でき、不意にスイッチを入れようとした際、クリックを感じることができるので、不意にスイッチをＯＮしづらくできる。
【発明の効果】
【００１７】
本発明のハンドブレンダの操作スイッチは、操作者に明確な２アクションスイッチを提供し、不意に操作スイッチをＯＮ状態としてしまうことがないものである。
【図面の簡単な説明】
【００１８】
【図１】本発明の実施の形態１に係るハンドブレンダの操作スイッチの初期状態位置を示す断面図
【図２】本発明の実施の形態１に係るハンドブレンダの操作スイッチの動作状態を示す断面図
【図３】本発明の実施の形態１に係るハンドブレンダの操作スイッチの動作状態を示す断面図
【図４】本発明の実施の形態１に係るハンドブレンダの操作スイッチの動作状態を示す断面図
【図５】本発明の実施の形態１に係るハンドブレンダの操作スイッチの動作状態を示す断面図
【図６】本発明の実施の形態１に係るハンドブレンダの操作スイッチの動作状態を示す背面図
【図７】本発明の実施の形態１に係るハンドブレンダの操作スイッチの動作状態を示す背面図
【図８】本発明の実施の形態１に係るハンドブレンダの操作スイッチの動作状態を示す背面図
【図９】本発明の実施の形態１に係るハンドブレンダの操作スイッチの要部を示す要部斜視図
【図１０】本発明の実施の形態１に係るハンドブレンダを示す正面図
【図１１】本発明の実施の形態１に係るハンドブレンダの操作スイッチを示す正面図
【図１２】本発明の実施の形態１に係るハンドブレンダの操作スイッチを示す分解斜視図
【図１３】従来のハンドブレンダを示す側面図
【図１４】従来のハンドブレンダの操作スイッチを示す側面断面図
【発明を実施するための形態】
【００１９】
第１の発明は、回転刃を端部近傍に有する回転軸と、前記回転軸を駆動させる駆動部と、前記駆動部の電源を操作する操作スイッチと、を備え、前記操作スイッチは、第一の方向に移動可能と共に、第一の方向と異なる第二の方向に移動可能なスライドスイッチを有し、前記スライドスイッチは、第一の方向への移動時にクリック感を伴って移動すると共に、第一の方向への移動完了時に第二の方向へ移動し、第二の方向への移動完了時に前記駆動部の電源をＯＮする構成とした。
【００２０】
これによって、第一の方向と第二の方向の２アクション操作スイッチのクリック感により、操作者が２アクションであることを実感でき、不意にスイッチを入れようとした際、クリックを感じることができるので、不意にスイッチをＯＮしづらくできる。
【００２１】
第２の発明は、特に、第１の発明において、スライドスイッチは凸コーナー部を有し、前記スライドスイッチが第一の方向への移動時に前記凸コーナー部と当接する突起を有するメインスイッチを備え、前記突起は前記メインスイッチの湾曲部の頂部に形成された構成とした。
【００２２】
これによって、スライドスイッチが第一の方向への移動時に凸コーナー部と、メインスイッチの湾曲部の頂部に形成された突起とが当接し、スライドスイッチの凸コーナー部がメインスイッチの突起を乗り越えることにより、第一の方向への移動時にクリック感を伴って移動することができる。
【００２３】
第３の発明は、特に、第１の発明において、スライドスイッチの移動可能な第一の方向で、前記スライドスイッチの両側に、前記スライドスイッチより高さが高いガードリブを設けた構成とした。
【００２４】
これによって、スライドスイッチの周囲にガードリブを設けたことにより不意にスイッチをＯＮしづらくなる。
【００２５】
第４の発明は、特に、第１の発明において、スライドスイッチに形成されたフックと係合可能な爪を有するロックレバーをさらに備え、スライドスイッチに形成されたフックとロックレバーの爪の係合状態によって、スライドスイッチを第一の方向への移動を規制する構成とした。
【００２６】
これによって、スライドスイッチを第一の方向への移動を規制することにより、使用後、ロックスイッチをロック側にスライドしておけば、不意にスイッチに触っても、スイッチが入ることがない。
【００２７】
以下、本発明に係る実施の形態について、図面を参照しながら説明する。なお、この実施の形態によって本発明が限定されるものではない。なお、以下すべての図において、同一または相当部分には同一符号を付し、重複する説明は省略する。
【００２８】
また、以下の説明において、単に上方または下方と表現する場合、ハンドブレンダの通常使用の状態、すなわち、その先端に設けられた混合器ユニットが下向きにされた状態を意味するものとする。ただし、厳密に鉛直方向または鉛直下方を意味するものではない。
【００２９】
（実施の形態１）
図１は、本発明の実施の形態に係る操作スイッチの初期状態の断面図である。図２は、本発明の実施の形態に係る操作スイッチのスライドスイッチがクリックの為の段を超えた状態の断面図である。図３は、本発明の実施の形態に係る操作スイッチのスライドスイッチが下端にあるときの断面図である。図４は、本発明の実施の形態に係る操作スイッチのメインスイッチが押下されたときの断面図である。図５は、本発明の実施の形態に係るロックプレートがＳＷカバーの溝を摺動する動作を表した断面図である。図６は、本発明の実施の形態に係る操作スイッチのロックスイッチがＯＮした状態の背面図である。図７は、本発明の実施の形態に係る操作スイッチのロックスイッチがＯＦＦした状態の背面図である。図８は、本発明の実施の形態に係る操作スイッチのロックスイッチがＯＦＦした状態で、かつ、スライドスイッチが下端にあるときの背面図である。図９は、ロックプレートとロックレバーが係合しロックスイッチがロックした状態の斜視図である。図１０は、本発明の実施の形態に係るハンドブレンダの正面図である。図１１は、本発明の実施の形態に係るハンドブレンダの操作スイッチの正面図である。図１２は、本発明の実施の形態に係るハンドブレンダの操作スイッチの分解斜視図である。
【００３０】
先ず、本発明の実施の形態１におけるハンドブレンダの全体構成について、図１０に基づいて説明する。図１０に示すように、回転軸１９は、ハンドブレンダの本体２０から延伸し、混合器ユニット２１を貫通するように設けられている。回転軸１９は、ハンドブレンダの本体２０に設けられた駆動部であるモータ（不図示）により回転駆動される。なお、回転軸１９の先端部近傍には回転刃４０を有している。本体２０の上部には、駆動部であるモータの電源（不図示）を操作する操作部２２が構成される。
【００３１】
次に、本発明の実施の形態１におけるハンドブレンダの操作スイッチである操作部２２について、図１、図１１、図１２を用いて説明する。
【００３２】
スライドスイッチ２３は、裏面に爪２３ａを有し、爪２３ａはメインスイッチ２４の角穴２４ａを通過し、ロックプレート２５の角穴２５ａに係止している。スライドスイッチ２３とロックプレート２５が係合した状態で、メインスイッチ２４をはさみこんでおり、上下に摺動可能である。プレートスプリング２６は、メインスイッチ２４に対して、ロックプレート２５を上方に不勢している。メインスイッチ２４には、角穴２４ａの中央に湾曲部２４ｃを有し、湾曲部２４ｃの頂部に凸部２４ｂを有している。ロックプレート２５の両脇上下方向にある４箇所の爪２５ｂは、スイッチカバー２７の内側にある４箇所の溝
２７ａに、それぞれ摺動可能に係合している。ロックプレート２５が、スイッチカバー２７の溝２７ａに摺動可能に係合することで、ロックプレート２５に係合しているスライドスイッチ２３、メインスイッチ２４も一体となって摺動する。
【００３３】
スイッチカバー２７の上部には、前方よりロックスイッチ２８が嵌り、ロックスイッチ２８の爪２８ａにより、スイッチカバー２７を挟み込みながらロックレバー２９の爪２９ａ（不図示）と係合している。ロックレバー２９のがたつきを押さえるためにレバーホルダー３０にてスイッチカバー２７の裏面より保持している。スイッチカバー２７の両側面には、ガードリブ２７ｂが設けられている。ガードリブ２７ｂの長さは、メインスイッチ２４の上端から下端の長さ以上の長さを有し、スイッチカバー２７の頂部２７Ｃの高さは、スライドスイッチ２３の頂部より高い。
【００３４】
以上のように構成された本発明の実施の形態１におけるハンドブレンダの操作スイッチの動作について、図１から図５を用いて説明する。操作スイッチの初期状態である図１において、スライドスイッチ２３と係合しているロックプレート２５は、プレートスプリング２６によって上方に付勢されている。また、スイッチロッド３１とリミットスイッチ３３とは離間しており、リミットスイッチ３３は押されていない。
【００３５】
図１において、操作者がプレートスプリング２６の付勢力に抗して、スライドスイッチ２３を下方（図１における左方向）に押し下げると、図２に示すように、スライドスイッチ２３の凸コーナー部２３ｂが、メインスイッチ２４の凸部２４ｂを乗り込える。ここで、スライドスイッチ２３の凸コーナー部２３ｂが、メインスイッチ２４の凸部２４ｂを乗り込える際に、スライドスイッチ２３の凸コーナー部２３ｂが、メインスイッチ２４の凸部２４ｂに当接し、メインスイッチ２４の凸部２４ｂを乗り込えることとなり、操作者にとってクリック感を感じることとなる。
【００３６】
さらに、スライドスイッチ２３を押し下げる（図２における左方向）と、スライドスイッチ２３がメインスイッチ２４の壁部と当接し、下端の位置にある図３の状態となる。図３の状態から、スライドスイッチ２３を本体２０の奥方向（図３における下方向）に押すと図４の状態となる。スライドスイッチ２３を奥方向（図３における下方向）に押すことにより、メインスイッチ２４及びロックプレート２５も一体になって図４の位置に移動される。ロックプレート２５が押されることで、スイッチロッド３１を介して、スイッチロッドスプリング３２を押さえ、リミットスイッチ３３が押される。リミットスイッチ３３が押されることで、回転刃４０を有する回転軸１９を駆動させる駆動部（モータ）の電源をＯＮさせることができる。
【００３７】
次に、スライドスイッチ２３の移動を案内する構成について、図５を用いて説明する。図５は、ロックプレート２５の爪２５ｂとスイッチカバー２７のスイッチカバーの溝２７ａの関係を示している。スイッチカバー２７のスイッチカバーの溝２７ａはＬ字形状で構成されており、ロックプレート２５の爪２５ｂがスイッチカバー２７のスイッチカバーの溝２７ａに沿って移動可能となっている。図５（ａ）は、スライドスイッチ２３が初期の位置、つまり、図１の状態を示し、図５（ｂ）は、スライドスイッチ２３が下端の位置、つまり、図３の状態を示し、図５（ｃ）は、スライドスイッチ２３を押し込んだ位置、つまり、図４の位置を示す。スライドスイッチ２３の動きにより、ロックプレート２５の爪２５ｂが、スイッチカバー２７の溝２７ａに沿って下方に移動し、図５（ｂ）の下端の位置にくると、溝２７ａが奥行き方向に折れ曲がるため、スライドスイッチ２３を奥方向に押すことができる。
【００３８】
図６から図９、及び図１１を用いて、ロックスイッチ２８の動作について説明する。図１１に表示しているロックスイッチ２８は左側に位置しているが、このときロックスイッ
チ２８はＯＦＦされており、スライドスイッチ２３をスライドさせることができる。逆に右側に位置しているときは、ロックスイッチ２８によりスライドスイッチ２３の移動がロックされており、スライドさせることができない。
【００３９】
ロックスイッチ２８により、スライドスイッチ２３がＯＦＦされている状態である図１に対応する背面図が図７であり、スライドスイッチ２３がロックされている状態である図１に対応する背面図が図６である。つまり、スライドスイッチ２３が図１に位置するときには、ロックスイッチ２８によりスライドスイッチ２３の移動が可能状態（図７）と、スライドスイッチ２３の移動が不可能状態（図６）とが存在することとなる。図８は、スライドスイッチ２３がＯＦＦされ、スライドスイッチ２３が下方におされた状態である図３に対応する背面図である。図９は図６の状態におけるロックプレート２５とロックレバー２９との位置関係を示す斜視図であり、図６および図９に示すようにロックプレート２５のフック２５ｃとロックレバー２９の爪２９ａが係止されることで、ロックプレート２５は図６における左方向へ移動ができなくなる。また、図７に示すようにロックプレート２５のフック２５ｃとロックレバー２９の爪２９ａの係止が解除されることで、ロックプレート２５は図７における左方向へ移動が可能となる。スライドスイッチ２３とロックプレート２５は、スライドスイッチ２３の爪２３ａにて係合されているので、ロックプレート２５が摺動できなることで、スライドスイッチ２３も摺動できなくなる。
【００４０】
以上のように構成されたハンドブレンダの操作スイッチについて、以下その動作を説明する。
【００４１】
本実施の形態のハンドブレンダを用いて、例えば野菜スープを作る場合について説明する。ロックスイッチ２８は、右方向すなわちロックされた状態にある。この状態では、スライドスイッチ２３は図６に示すロック状態にあり、スライドさせることはできないので、まず、ロックスイッチ２８を左方向すなわちＯＦＦの状態である図１１の位置に移動させる。鍋の中の煮込まれた野菜に混合器ユニット２１を押し込み、スライドスイッチ２３を下方にスライドさせる。このとき、スライドスイッチ２３の凸コーナー部２３ｂが、メインスイッチ２４の凸部２４ｂを乗り越えるときに、操作者は、クリック感を感じることができる。そして、スライドスイッチ２３を下方にスライドさせ、下端に到達し、さらに、本体２０の奥に向かい水平方向に押すと、ロックプレート２５を介し、スイッチロッド３１を押し、スイッチロッド３１がリミットスイッチ３３を押す。リミットスイッチ３３が押されると、モータが回転駆動し、混合器ユニット２１の回転軸１９が回転し、回転刃４０が回転し野菜を切削調理することができる。調理を終えスライドスイッチ２３への荷重を除くと、バネ３２の作用により、スイッチロッド３１を介して、ロックプレート２５、メインスイッチ２４、スライドスイッチ２３が前方に押し出される。そして、バネ２６の作用にて、ロックプレート２５とスライドスイッチ２３が上方に戻される。さらに、ロックスイッチ２８を操作し右方向に移動、すなわちロックされた状態にすることで、スライドスイッチ２３がスライドできなくなる。
【００４２】
以上のように、本実施の形態においては、スライドスイッチ２３の裏面の凸コーナー部２３ｂが、メインスイッチ２４の凸部２４ｂを乗り越えるときに、操作者にクリック感を与えることが出来る。これにより、スライドスイッチ２３の動作、つまり、上から下へスライドさせて奥へ押す動作の途中にクリック感を感じることができる。スライド＋押すとうい動作だけでは、操作者の感覚として斜めに押しているような感覚となってしまうが、途中にクリック感があると、２段階ということが理解でき、不意に動作してしまうことを低減できる。また、これらの構成では、ハンドブレンダ自体の姿勢に関係なく２アクションの動作を実現でき、不意にスイッチを入れてしまうことを低減できる。なお、このクリック感を出す、凸部２４ｂは、スライドスイッチ２３のスライドする工程の初期に近い位置に設けられている。こうすることで、クリック自体が独立し、クリック感を感じやすく
なるという効果がある。凸部２４ｂが、スライドする工程の後半部に設けられていると、スライドしてから押すという工程の切り替え部と、クリック感が近くとなり、クリック感を感じにくくなる。
【００４３】
調理に使用したあとは、ロックスイッチ２８を左側すなわちロック側に移動させておく。これにより、幼い子供が触った場合や、また、不意にスライドスイッチ２３を触ったとしてもスライドスイッチ２３がスライドしないことから、不意に動作することを低減できる。
【００４４】
さらに、ガードリブ２７ｂは、スライドスイッチ２３の頂部２３ｃより突出している。よって、不意に操作部２２を手でつかむようなことになっても、ガードリブ２７ｂに手があたることで、スライドスイッチ２３がスライドしないことから、不意に動作することを低減できる。
【００４５】
また、スライドスイッチ２３をスライドさせて押して、モータを回転させ運転動作している状態、つまり、図４に示すロックプレート２５の状態では、図８にあるようにロックプレート２５のフック２５ｃが、ロックレバー２９に当接しているため、ロックレバー２９が動かない。よって、ロックスイッチ２８も動かすことができないので、運転動作しているときに、誤ってロックスイッチ２８をロックしてしまう誤操作を防ぐことができる。
【００４６】
さらに、メインスイッチ２４のすぐ上にロックスイッチ２８を配置している。スライドスイッチ２３及びメインスイッチ２４の操作後すぐに、ロックスイッチ２８を操作し、ロックすることができ、使い勝手がよい。
【００４７】
また、ロックスイッチ２８を左から右に押せばロック、左から右に押せばロックＯＦＦとなる構成となっている。この構成により、右手で本体２０を後ろ側から握った場合、スライドスイッチ２３を人差し指または中指で操作し終了したのち、すぐに、人差し指で、ロックスイッチ２８を左から右に押すことで容易にロックすることがで、使い勝手がよい。
【００４８】
また、姿勢向きにかかわらず、誤操作しにくい操作スイッチを提供することができる。
【産業上の利用可能性】
【００４９】
本発明に係るハンドブレンダの操作スイッチは、ハンドブレンダ以外にも、手持ち工具当にも適応できる。
【符号の説明】
【００５０】
１９  回転軸
２０  本体
２１  混合器ユニット
２２  操作部
２３  スライドスイッチ
２３ｂ  凸コーナー部
２４  メインスイッチ
２４ｂ  凸部
２４ｃ  湾曲部
２５  ロックプレート
２５ｂ  爪
２５ｃ  フック
２７  スイッチカバー
２７ａ  溝
２７ｂ  ガードリブ
２８  ロックスイッチ
２９  ロックレバー
２９ａ  爪
３１  スイッチロッド
３３  リミットスイッチ
４０  回転刃
【図１】
2016041153.tif 000003
【図２】
2016041153.tif 000004
【図３】
2016041153.tif 000005
【図４】
2016041153.tif 000006
【図５】
2016041153.tif 000007
【図６】
2016041153.tif 000008
【図７】
2016041153.tif 000009
【図８】
2016041153.tif 000010
【図９】
2016041153.tif 000011
【図１０】
2016041153.tif 000012
【図１１】
2016041153.tif 000013
【図１２】
2016041153.tif 000014
【図１３】
2016041153.tif 000015
【図１４】
2016041153.tif 000016